(57)【要約】【課題】アプリケーションに応じて柔軟にステープルトレイに残存した記録紙の除去方法を変更することにより、ユーザ負担を軽減することができる画像形成装置及び記録媒体を提供する。【解決手段】本発明は、ステープル綴じモードの際に画像形成処理済の記録紙を一時的に集積する一時集積手段と、ステープル綴じモードを実行するフィニッシャの記録紙排紙情報を通知するフィニッシャ情報通知手段と、前記一時集積手段に集積された記録紙を検出する記録紙検出手段と、前記一時集積手段にステープル綴じされずに残留した記録紙の排出方法を通知するアプリケーション情報通知手段と、前記記録紙検出手段で残存した記録紙があると検出した際に、前記アプリケーション情報通知手段によって通知されたアプリケーション情報と前記フィニッシャ情報通知手段によって通知されたフィニッシャ情報とを参照して、残留記録紙の排出方法を切り替える制御手段と、を備えた。【選択図】図３
2012083666.tif 000002
【特許請求の範囲】
【請求項１】
ステープル綴じモードの際に画像形成処理済の記録紙を一時的に集積する一時集積手段と、
ステープル綴じモードを実行するフィニッシャの記録紙排紙情報を通知するフィニッシャ情報通知手段と、
前記一時集積手段に集積された記録紙を検出する記録紙検出手段と、
前記一時集積手段にステープル綴じされずに残留した記録紙の排出方法を通知するアプリケーション情報通知手段と、
前記記録紙検出手段で残存した記録紙があると検出した際に、前記アプリケーション情報通知手段によって通知されたアプリケーション情報と前記フィニッシャ情報通知手段によって通知されたフィニッシャ情報とを参照して、残留記録紙の排出方法を切り替える制御手段と、
を備えたことを特徴とする画像形成装置。
【請求項２】
前記制御手段は、残留記録紙の排出方法として、ステープル綴じせずにそのまま自動排紙する自動排紙、ステープル綴じ後に排出するステープル綴じ排出、ステープル綴じせずに手動で排紙する手動廃止、ステープル綴じ後に排出するステープル綴じ排出とステープル綴じせずに手動で排紙する手動廃止とを選択する選択排紙、の何れか２つ以上を含むことを特徴とする請求項１に記載の画像形成装置。
【請求項３】
前記制御手段は、アプリケーション情報として、コピー機能かプリンタ機能かを識別し、コピー機能の場合には手動排紙を含む排紙方法を前記フィニッシャの機能に応じて切り替え、プリンタ機能の場合には手動排紙を除く前記フィニッシャの機能に応じて切り替えることを特徴とする請求項２に記載の画像形成装置。
【請求項４】
複数のアプリケーション機能を備えると共に画像形成処理済の記録紙をステープルトレイに一時的に集積したうえでステープル綴じするステープル綴じモードを実行するためのプログラムを記憶した記憶媒体であって、
前記記憶媒体は、複数のアプリケーション機能毎で且つフィニッシャの記録紙排紙機能毎に予め設定された排紙方法を記録していることを特徴とする記録媒体。
【発明の詳細な説明】
【技術分野】
【０００１】
本発明は、画像形成処理済の記録紙をステープル綴じするステープルモードを備えた画像形成装置及びステープル綴じするための記録紙がステープルトレイに残滓手してしまった場合の除去方法をアプリケーションに応じて変更するためのプログラムを記録した画像形成装置用の記録媒体に関する。
【背景技術】
【０００２】
従来から、複写機やプリンタ、或いはこれらを機能的に備えた複合機といった画像形成装置には、複数枚の画像形成処理（以下、単に「印刷」と称する。）済みの記録紙をステープル綴じするステープルモードで印刷を行うことができるものが周知である。
【０００３】
また、このような画像形成装置では、ステープルモードで印刷を行っている場合、ステープル綴じを行う前の印刷済の記録紙は、ステープル綴じ後の記録紙束を集積する排紙トレイとは別に、一旦ステープルトレイに集積するのが一般的である。
【０００４】
特に、大型で高速化を可能とした画像形成装置にあっては、このようなステープルトレイは画像形成装置本体にオプション等で隣接設置されたフィニッシャの内部に配置されている場合が多い。
【０００５】
しかしながら、ステープルモードで印刷を行っている途中で画像データを含む印刷に関するデータ（以下、単に「ジョブ」と称する。）を削除する等の印刷中止をしてしまったり、画像形成装置の電源をＯＦＦしてしまった場合、ステープルトレイに記録紙が残ったままの状態となる。
【０００６】
しかしながら、ジョブキャンセル（印刷中止）や電源ＯＦＦによりステープルトレイに記録紙が残ってしまったまま次の印刷処理を実行してしまうと、先に残存した記録紙（以下、「先の記録紙」と称する。）と、後に集積された記録紙（以下、「後の記録紙」と称する。）とが混在したままステープル綴じを実行してしまうなどの支障が出てくる。
【０００７】
そこで、ジョブキャンセルや電源ＯＦＦによりステープルトレイに記録紙が残ったままであるとセンサ検出した場合には、操作部の表示パネル等に警告を表示してステープルトレイ上の先の記録紙をユーザに手動で取り除いてもらうか、もしくは排紙トレイに空排紙を行うことによって取り除く技術が考えられている。
【０００８】
尚、排紙トレイに空排紙を行った場合においても、空排紙後の先の記録紙と次の印刷処理による後の記録紙とが混在してしまうのを防止するため、例えば、複数の排紙トレイを備えたフィニッシャの場合には先の記録紙と後の記録紙とを異なる排紙トレイに排紙したり、排紙トレイを記録紙幅方向に変位させて先の記録紙と後の記録紙とを振り分け排紙する技術が知られている（例えば、特許文献１参照。）。
【発明の概要】
【発明が解決しようとする課題】
【０００９】
しかしながら、上述した画像形成装置では、ステープルトレイに残存した記録紙は、ユーザに手動で取り除いてもらうか空排紙するかの一方の除去方法を一律採用しており、除去方法を変更することができなかった。
【００１０】
したがって、複合機のように複写機能（コピー機能）やプリント機能とを具備している場合、例えば、原稿セットから印刷終了まで画像形成装置の付近でユーザが待機している場合が多いコピー機能を実行している時と、印刷データの送信により印刷終了まで画像形成装置の付近にユーザが待機する必要がないプリント機能を実行している時のように、ステープルトレイに残存した先の記録紙の除去を容易に行うことができる状況下にあるか否かに関わらず手動除去か空排紙かの一方を一律に採用することとなってしまう。
【００１１】
これにより、複合機のアプリケーションの一つとしてのコピー機能の実行によりユーザが画像形成装置の付近で待機しているにも拘らず、ステープルトレイに残存した記録紙を手動で取り除くことで記録紙の取り忘れが発生し難いことから、あえて手動で取り除いて欲しい場合であっても、空排紙を行って記録紙の取り忘れが発生してしまい、ユーザが記録紙を取りに戻るといったユーザ負担が発生してしまう不具合があった。
【００１２】
また、複合機のアプリケーションの一つとしてのプリント機能の実行により画像形成装置の付近にユーザが待機していないにも拘らず、コピー機能を行うために画像形成装置の付近に来た別のユーザにステープルトレイに残存した記録紙を手動で取り除かせてしまう等のユーザ負担が発生してしまう不具合があった。
【００１３】
そこで、本発明は、アプリケーションに応じて柔軟にステープルトレイに残存した記録紙の除去方法を変更することにより、ユーザ負担を軽減することができる画像形成装置及び記録媒体を提供することを目的とする。
【課題を解決するための手段】
【００１４】
上記課題を解決するため、本発明の画像形成装置は、ステープル綴じモードの際に画像形成処理済の記録紙を一時的に集積する一時集積手段と、ステープル綴じモードを実行するフィニッシャの記録紙排紙情報を通知するフィニッシャ情報通知手段と、前記一時集積手段に集積された記録紙を検出する記録紙検出手段と、前記一時集積手段にステープル綴じされずに残留した記録紙の排出方法を通知するアプリケーション情報通知手段と、前記記録紙検出手段で残存した記録紙があると検出した際に、前記アプリケーション情報通知手段によって通知されたアプリケーション情報と前記フィニッシャ情報通知手段によって通知されたフィニッシャ情報とを参照して、残留記録紙の排出方法を切り替える制御手段と、を備えたことを特徴とする。
【００１５】
本発明の記録媒体は、複数のアプリケーション機能を備えると共に画像形成処理済の記録紙をステープルトレイに一時的に集積したうえでステープル綴じするステープル綴じモードを実行するためのプログラムを記憶した記憶媒体であって、前記記憶媒体は、複数のアプリケーション機能毎で且つフィニッシャの記録紙排紙機能毎に予め設定された排紙方法を記録していることを特徴とする。
【発明の効果】
【００１６】
本発明の画像形成装置及び記録媒体は、アプリケーションに応じて柔軟にステープルトレイに残存した記録紙の除去方法を変更することにより、ユーザ負担を軽減することができる。
【図面の簡単な説明】
【００１７】
【図１】本発明の一実施形態に係る画像形成装置としての複合機の説明図である。
【図２】本発明の一実施形態に係る画像形成装置としての複合機の基本構成を示すブロック図である。
【図３】本発明の一実施形態に係る画像形成装置としての複合機における印刷排紙制御に特化した基本構成のブロック図である。
【図４】本発明の一実施形態に係る画像形成装置としての複合機における印刷排紙制御に関する基本構成の図表である。
【図５】本発明の一実施形態に係る画像形成装置としての複合機における自動排紙不可能な場合に液晶表示器に表示される警告表示例の説明図である。
【図６】本発明の一実施形態に係る画像形成装置としての複合機における印刷実行中にジョブキャンセルを行った際の排紙制御例のフロー図である。
【図７】本発明の一実施形態に係る画像形成装置としての複合機における印刷実行を行おうとした際にステープルトレイに残存記録紙があった場合の排紙制御例のフロー図である。
【発明を実施するための形態】
【００１８】
次に、本発明の一実施形態に係る画像形成装置及び記録媒体について、図面を参照して説明する。尚、以下に示す実施例は本発明の画像形成装置及び記録媒体における好適な具体例であり、技術的に好ましい種々の限定を付している場合もあるが、本発明の技術範囲は、特に本発明を限定する記載がない限り、これらの態様に限定されるものではない。また、以下に示す実施形態における構成要素は適宜、既存の構成要素等との置き換えが可能であり、かつ、他の既存の構成要素との組合せを含む様々なバリエーションが可能である。したがって、以下に示す実施形態の記載をもって、特許請求の範囲に記載された発明の内容を限定するものではない。
【００１９】
図１は本発明の一実施形態に係る画像形成装置としての複合機の説明図、図２は本発明の一実施形態に係る画像形成装置としての複合機の基本構成を示すブロック図である。図１において、画像形成装置としての複合機１０は、装置本体１１と、装置本体１１の下方に配置されて引き出し可能な複数段の給紙トレイ１２，１３，１４と、装置本体１１の上方に配置された操作パネル１５と、装置本体１１の上面に回動可能に配置された自動原稿送り装置（以下、単に「ＡＤＦ」と称する。）１６と、装置本体１１の側方に配置されたフィニッシャ１７と、を備えている。
【００２０】
尚、フィニッシャ１７は、本実施の形態においては、装置本体１１とは別のオプション装置であり、例えば、装置本体１１に着脱可能に装着される標準排紙トレイ（図示せず）を取り外した状態で設置され、フィニッシャ本体１８と、標準排紙トレイに変わる排紙トレイ１９と、排紙トレイ１９とは別に記録紙幅方向に変位可能な振り分け機能を備えた第２排紙トレイ２０と、を備えている。また、フィニッシャ１７は、ステープル綴じモードの際に画像形成処理（以下、単に「印刷」と称する。）済の記録紙を一時的に集積するステープルトレイ２１と、ステープルトレイ２１に集積された記録紙をステープル綴じするステープラ（図示せず）とを備えている。また、ステープルトレイ２１には、記録紙の存在を検出する公知の記録紙検出センサ（図示せず）が設けられている。
【００２１】
装置本体１１の内部には、図示は省略するが、操作パネル１５を操作しての操作命令やネットワーク接続されたパーソナルコンピュータ（図示せず）から送信された画像データを含む印刷データ等のデータ処理を実行するコントローラと、このコントローラによって駆動制御される各種エンジン（ドライバ）と、を備えている。
【００２２】
また、装置本体１１の内部には、給紙トレイ１２，１３，１４に収納された各種サイズの記録紙を給紙搬送するために各トレイ１２，１３，１４から排紙口２２に向かう給紙搬送経路（図示せず）が設けられている。さらに、装置本体１１の内部には、図示は省略するが、この給紙搬送経路中に、読み取り又は送信された画像データから記録紙に転写する画像を形成する画像形成部、画像形成部で形成した画像を記録紙に転写する転写部、転写後の画像を記録紙に定着する定着部、定着後の記録紙を排紙口２２からフィニッシャ１７に向けて排紙する排紙部、等が配置されている。尚、これら給紙搬送経路、画像形成部、転写部、定着部、排紙部等は、機種等によって設置位置や構造は異なるものの、公知のものが用いられているため、ここでは詳細な説明は省略する。
【００２３】
さらに、装置本体１１の内部には、図２に示すように、コピー機能やスキャナ機能の際に原稿を読み取るための画像入力手段としてのスキャナエンジン３１と、プリント機能の際に画像入力手段としての外部ホスト機器（パーソナルコンピュータ等）３２からの印刷データを受信するホストＩ／Ｆ（インターフェース）制御部３３と、を備え、Ｉ／Ｆの種類としてはＩＥＥＥ１２８４、ＵＳＢ等のローカル接続や有線、無線によるイーサネット（登録商標）等のネットワーク接続がある。また、ＦＡＸ機能においてはＦＡＸ送信時の画像入力手段にはスキャナ機能が適用される他、外部ホスト機器３２の適用も可能である。ＦＡＸ受信時は一般公衆回線に接続されたＮＣＵ（ネットワークコントロールユニット）３４を介してＦＡＸ制御部３５により印刷データとしてデータの復号化等が行われる。さらに、印刷出力手段としてはプリンタエンジン３６であり、レーザー方式、ＬＥＤ方式、インクジェット方式等の作像方式がある。その他、各ブロックへの指示や制御等はＣＰＵ３７があり、記憶媒体としてのＲＯＭ３８に画像形成処理全般を実行するプログラムが格納されている。尚、システムによってはＲＯＭ３８は複数個搭載することで処理性能を向上させることができる。ＲＡＭ３９は揮発メモリであり、ＲＡＭ制御部４０を介してＣＰＵ３７をはじめ各ブロックの処理のデータ一時保存に活用される。尚、ＲＡＭ３９には、印刷実行のための画像データ等やモード設定等も一時的に格納される。ＮＶＲＡＭ４１は不揮発メモリであり、機器固有の情報（各種パラメータ等）及び本発明に関わる機能を実行するためのプログラムを格納する記憶媒体として使われる。
【００２４】
操作部１５は、機器操作のためのテンキーやスタートキーストップキー割込みキーとい各種ボタンキーや機器状態表示のためのインジケータ（ＬＥＤやＬＣＤ等の表示器、スピーカー等）等、機器操作者（ユーザ）とのマンマシンインターフェース部であり、操作部Ｉ／Ｆ制御部４２により操作部１５との情報入出力を行う。尚、本実施の形態においては、インジケータとしてパネルスイッチ方式の液晶表示器４３（図１及び図５参照）が用いられている。
【００２５】
図３は本発明の一実施形態に係る画像形成装置としての複合機における印刷排紙制御に特化した基本構成のブロック図である。
【００２６】
図３において、ＲＡＭ３９及びＮＶＲＡＭ４１に対応したアプリケーション部４４は、ＣＰＵ３７に対応した印刷制御部４５に対してアプリケーション情報を通知する。印刷制御部４５はＣＰＵ３７に対応した後処理部４６に対して残留記録紙排紙の指示、操作部１５に対して警告の表示を指示する。また、後処理部４６は、アプリケーション毎の排紙方法を記憶している。さらに、後処理部４６は、プリンタエンジン３６にも対応しており印刷制御部４５に対して残留記録紙情報の通知を行う。尚、アプリケーション部４４から印刷制御部４５へのアプリケーション情報はジョブ開始時又はジョブ継続時に通知される。
【００２７】
図４は本発明の一実施形態に係る画像形成装置としての複合機における印刷排紙制御に関する基本構成の図表である。
【００２８】
図４に示すように、ＣＰＵ３７は、複合機１０のアプリケーションとしてのコピー機能又はプリンタ機能をステープル綴じモードで実行している際、オプション装置として設置されたフィニッシャ１７の機能を考慮した残留記録紙の排紙方法を制御する。
【００２９】
具体的には、図３で示す印刷制御部４５では、アプリケーションとフィニッシャ１７の性能から排紙方法を決定します。例えば、コピー機能でフィニッシャ１７の性能が自動排紙可能であればジョブの先頭で残留記録紙の自動排紙（空排紙）を行う。また、コピー機能でフィニッシャ１７の性能が自動排紙不可能であれば、手動で除去することもステープル綴じして排紙することも共に可能なのでユーザに報知して残留記録紙の除去方法を選択させる。
【００３０】
図５は、本発明の一実施形態に係る画像形成装置としての複合機における自動排紙不可能な場合に液晶表示器４３に表示される警告表示例の説明図である。
【００３１】
図５において、印刷制御部４５による決定がコピー機能でフィニッシャ１７の性能が自動排紙不可能であれば、液晶表示器４３には、ユーザに排紙方法を選択させるために、その旨の警告表示と、「ステープルして排紙する」か「手動で排紙する」かの選択スイッチ１７ａ，１７ｂを表示する。
【００３２】
次に、本発明のより具体的な排紙方法選択制御例を図６及び図７のフロー図を参照しつつ説明する。
【００３３】
図６は印刷実行中にジョブキャンセルを行った際の排紙制御例のフロー図である。尚、図６においては、プリンタ機能の場合には複合機１０にネットワーク接続されたパーソナルコンピュータから画像データを含む印刷データが送信されると共に、その印刷データ中にステープル綴じモードが選択されているものとする。また、コピー機能の場合にはＡＤＦ１６に原稿がセットされ、操作部１５によりステープル綴じモードが選択されているものとする。また、その印刷実行中にパーソナルコンピュータ（プリント機能）又は操作部１５（コピー機能）からジョブキャン操作がされてＣＰＵ３７にジョブキャンセル指令が到来した状態から説明する。
【００３４】
（ステップＳ１）
ステップＳ１では、ＣＰＵ３７は、ジョブキャンセル指令の到来により、印刷終了処理を実行してステップＳ２へと移行する。
【００３５】
（ステップＳ２）
ステップＳ２では、ＣＰＵ３７は、後処理部４６がステープルトレイ２１に残留記録紙があるかどうかの判断結果に基づいて、ステープルトレイ２１に残留記録紙がなければそのまま処理を終了し、ステープルトレイ２１に残留記録紙があった場合にはステップＳ３へと移行する。
【００３６】
（ステップＳ３）
ステップＳ３では、ＣＰＵ３７は、ステープルトレイ２１の残留記録紙がエンジン制御できる状態にあるかどうかを判断し、エンジン制御不可能の場合にはステップＳ６へと移行し、エンジン制御可能の場合にはステップＳ４へと移行する。
【００３７】
（ステップＳ４）
ステップＳ４では、ＣＰＵ３７は、アプリケーション情報を参照し、アプリケーション情報がプリンタ機能であればステップＳ５へと移行し、プリンタ機能でなければ処理を終了する。
【００３８】
（ステップＳ５）
ステップＳ５では、ＣＰＵ３７は、プリンタ機能であることから、後処理部４６に対してフィニッシャ１７の性能を確認し、フィニッシャ１７の性能が自動排紙可能である場合にはステップＳ７へと移行し、フィニッシャ１７の性能が自動排紙不可能である場合にはステップＳ８へと移行する。
【００３９】
（ステップＳ６）
ステップＳ６では、ＣＰＵ３７は、例えば、液晶表示器４３にユーザに対してステープルトレイ２１に残留記録紙がある旨の警告を表示してこの処理を終了する。尚、ＣＰＵ３７は、液晶表示器４３を操作してユーザにより「ステープルして排紙する」を選択した場合には、ステープル綴じして排紙を行い、「手動で排紙する」が選択された場合には残留記録紙ありの警告を表示して、ユーザに残留記録紙を取り除いてもらう旨を報知する。この場合、ステープルトレイ２１に残存する記録紙が取り除かれるまで次のジョブの処理は停止される。
【００４０】
（ステップＳ７）
ステップＳ７では、ＣＰＵ３７は、フィニッシャ１７が自動排紙可能であることから、ステープルトレイ２１に残存する記録紙を第２排紙トレイ２０に自動排紙して印刷処理を終了する。
【００４１】
（ステップＳ８）
ステップＳ８では、ＣＰＵ３７は、フィニッシャ１７が自動排紙不可能であることから、第２排紙トレイ２０にステープルトレイ２１に残存した記録紙を自動排紙して印刷処理を終了する。
【００４２】
図７は印刷実行中の電源ＯＦＦ後の電源ＯＮ時等、印刷実行を行おうとした際にステープルトレイ２１に残存記録紙があった場合の排紙制御例のフロー図である。尚、図７においては、プリンタ機能の場合には複合機１０にネットワーク接続されたパーソナルコンピュータから送信された画像データを含む印刷データを受信すると共に、その印刷データ中にステープル綴じモードが選択されているものとする。また、コピー機能の場合に操作部１５によりステープル綴じモードが選択されると共にＡＤＦ１６に原稿がセットされてスタートキーが押下されたものとする。
【００４３】
（ステップＳ１１）
ステップＳ１１では、ＣＰＵ３７は、印刷スタート時にステープルトレイ２１に残留記録紙がある否かが確認され、残留記録紙が有る場合にはステップＳ１２へと移行し、残留記録紙が無い場合には印刷が開始される。
【００４４】
（ステップＳ１２）
ステップＳ１２では、ＣＰＵ３７は、ステープルトレイ２１の残留記録紙がエンジン制御できる状態にあるかどうかを判断し、エンジン制御不可能の場合にはステップＳ１８へと移行し、エンジン制御可能の場合にはステップＳ１３へと移行する。
【００４５】
（ステップＳ１３）
ステップＳ１３では、ＣＰＵ３７は、フィニッシャ１７の性能を確認し、フィニッシャ１７の性能が自動排紙可能である場合にはステップＳ１６へと移行し、フィニッシャ１７の性能が自動排紙不可能である場合にはステップＳ１４へと移行する。
【００４６】
（ステップＳ１４）
ステップＳ１４では、ＣＰＵ３７は、アプリケーション情報を参照し、アプリケーション情報がコピー機能であればステップＳ１５へと移行し、コピー機能でなければステップＳ１７へと移行する。
【００４７】
（ステップＳ１５）
ステップＳ１５では、ＣＰＵ３７は、液晶表示器４３に排紙選択画面を表示し、ユーザにより「ステープルして排紙する」が選択された場合にはステップＳ１７へと移行し、「手動で排紙する」が選択された場合にはステップＳ１６へと移行する。
【００４８】
（ステップＳ１６）
ステップＳ１６では、ＣＰＵ３７は、ステープルトレイ２１に残存する記録紙を第２排紙トレイ２０に自動排紙して印刷処理を終了する。
【００４９】
（ステップＳ１７）
ステップＳ１７では、ＣＰＵ３７は、第２排紙トレイ２０にステープルトレイ２１に残存した記録紙を自動排紙して印刷処理を終了する。
【００５０】
（ステップＳ１８）
ステップＳ１８では、ＣＰＵ３７は、例えば、液晶表示器４３にユーザに対してステープルトレイ２１に残留記録紙がある旨の警告を表示して手動で取り除いてもらう旨を報知してこの処理を終了する。尚、この場合にはステープルトレイ２１に残存する記録紙が取り除かれるまで次のジョブの処理は停止される。
【００５１】
このように、本発明の画像形成装置としての複合機１０によれば、ステープル綴じモードによりアプリケーションとしてのコピー機能かプリンタ機能かに応じて、ジョブキャンセル又は電源ＯＦＦに伴ってステープルトレイ２１に記録紙が残存した場合に、柔軟にステープルトレイに残存した記録紙の除去方法を変更することにより、ユーザ負担を軽減することができる。
【００５２】
上述した実施形態は以下のようにすることもできる。
【００５３】
本実施形態の画像形成装置は、制御手段は、残留記録紙の排出方法として、ステープル綴じせずにそのまま自動排紙する自動排紙、ステープル綴じ後に排出するステープル綴じ排出、ステープル綴じせずに手動で排紙する手動廃止、ステープル綴じ後に排出するステープル綴じ排出とステープル綴じせずに手動で排紙する手動廃止とを選択する選択排紙、の何れか２つ以上を含むことを特徴とする。
【００５４】
本実施形態の画像形成装置は、複数のアプリケーション機能を備えると共に画像形成処理済の記録紙をステープルトレイに一時的に集積したうえでステープル綴じするステープル綴じモードを実行するためのプログラムを記憶した記憶媒体であって、記憶媒体は、複数のアプリケーション機能毎で且つフィニッシャの記録紙排紙機能毎に予め設定された排紙方法を記録していることを特徴とする。
【００５５】
以上、本発明の好適な実施の形態により本発明を説明した。ここでは特定の具体例を示して本発明を説明したが、特許請求の範囲に定義された本発明の広範囲な趣旨及び範囲から逸脱することなく、これら具体的に様々な修正及び変更が可能である。
【符号の説明】
【００５６】
１０    複合機（画像形成装置）
１７    フィニッシャ
２１    ステープルトレイ（一時集積手段）
４４    アプリケーション部（アプリケーション通知手段）
４５    印刷制御部（ＣＰＵ・制御手段）
４６    後処理部（フィニッシャ情報通知手段）
【先行技術文献】
【特許文献】
【００５７】
【特許文献１】特開平０７−１８７４７８号公報
【図１】
2012083666.tif 000003
【図２】
2012083666.tif 000004
【図３】
2012083666.tif 000005
【図４】
2012083666.tif 000006
【図５】
2012083666.tif 000007
【図６】
2012083666.tif 000008
【図７】
2012083666.tif 000009